【手続補正書】
【提出日】平成28年3月28日(2016.3.28)
【手続補正１】
【補正対象書類名】特許請求の範囲
【補正対象項目名】全文
【補正方法】変更
【補正の内容】
【特許請求の範囲】
【請求項１】
スイッチング電源を制御するための電源コントローラであって、
電圧制御回路であって、
前記スイッチング電源の基準電圧信号又は値と出力電圧とに少なくとも部分的に基づいて電圧エラー信号又は値を提供する電圧エラー回路と、
前記電圧エラー信号又は値に少なくとも部分的に基づいて電圧制御デューティサイクル信号又は値を提供する電圧補償器回路と、
を含む、前記電圧制御回路と、
電流制御回路であって、
前記スイッチング電源の基準電流信号又は値と出力電流とに少なくとも部分的に基づいて電流エラー信号又は値を提供する電流エラー回路と、
前記電流エラー信号又は値に少なくとも部分的に基づいて電流制御デューティサイクル信号又は値を提供する電流補償器回路と、
を含む、前記電流制御回路と、
デューティサイクル入力信号又は値に少なくとも部分的に従って前記スイッチング電源の少なくとも１つのスイッチをパルス幅変調するように動作可能なパルス幅変調回路と、
前記電圧制御デューティサイクル信号又は値を前記デューティサイクル入力信号又は値として提供するために第１のモードで、及び、前記電流制御デューティサイクル信号又は値を前記デューティサイクル入力信号又は値として提供するために第２のモードで、選択的に動作可能な制御回路と、
を含み、
前記制御回路が、
前記電圧制御デューティサイクル信号又は値と所定の非ゼロのヒステリシス値との合計が、前記電流制御デューティサイクル信号又は値より大きい場合に、前記制御回路を前記第１のモードから前記第２のモードに切り替えるように、
前記電圧制御デューティサイクル信号又は値を所定のデューティサイクル信号又は値に選択的にプリセットし、その後、前記電圧制御デューティサイクル信号又は値が前記電流制御デューティサイクル信号又は値より小さい場合に、前記制御回路を前記第２のモードから前記第１のモードに切り替えるように、
動作可能な論理回路を含む、電源コントローラ。
【請求項２】
請求項１に記載の電源コントローラであって、
前記論理回路が、前記制御回路が前記第２のモードである一方で、前記電圧補償器回路の積分器信号又は値の増加を防止するように動作可能である、電源コントローラ。
【請求項３】
請求項１に記載の電源コントローラであって、
前記電圧補償器回路が、
比例積分微分回路であって、
前記電圧エラー信号又は値と比例定数とに基づいて、比例補償信号又は値を生成するように、
前記電圧エラー信号又は値と積分定数とに基づいて、積分補償信号又は値を生成するように、
前記電圧エラー信号又は値と微分定数の変化率とに基づいて、微分補償信号又は値を生成するように、
前記比例補償信号又は値、前記積分補償信号又は値、及び前記微分補償信号又は値の合計として、ＰＩＤ出力信号又は値を生成するように、
動作可能な、前記比例積分微分回路と、
プリセッティング回路であって、前記電圧制御デューティサイクル信号又は値を、プリセット制御信号に基づいて、前記ＰＩＤ出力信号又は値、又は前記所定のデューティサイクル信号又は値のいずれかとして提供するように動作可能な、前記プリセッティング回路と、
を含み、
前記論理回路が、前記電流制御デューティサイクル信号又は値が前記電圧制御デューティサイクル信号又は値より小さい場合に、前記プリセット制御信号を前記プリセッティング回路に提供することによって、前記電圧制御デューティサイクル信号又は値を前記所定のデューティサイクル値に選択的にプリセットするように動作可能である、電源コントローラ。
【請求項４】
請求項１に記載の電源コントローラであって、
前記論理回路が、前記制御回路を前記第２のモードから前記第１のモードに切り替える前に、前記電圧制御デューティサイクル信号又は値が前記所定のデューティサイクル値より小さい場合に、前記電圧制御デューティサイクル信号又は値を前記所定のデューティサイクル信号又は値にプリセットすることを選択的に控えるように動作可能である、電源コントローラ。
【請求項５】
請求項１に記載の電源コントローラであって、
前記電圧エラー回路が、前記基準電圧信号又は値と前記スイッチング電源の前記出力電圧との間の差を表すデジタル電圧エラー値を提供するように動作可能であり、
前記電圧補償器回路が、前記デジタル電圧エラー値の前のサンプルに少なくとも部分的に基づいて積分器値を提供するための加算器回路を含み、前記電圧補償器回路が、前記積分器値に少なくとも部分的に基づいて積分補償値を計算し、前記電圧補償器回路が、前記積分補償値に少なくとも部分的に基づいて前記電圧制御デューティサイクル信号又は値を提供し、
前記論理回路が、前記制御回路が前記第２のモードである一方で、前記積分器値の増加を選択的に防止するために前記電圧補償器回路に制御信号を提供し、前記電圧補償器回路に、前記制御回路を前記第２のモードから前記第１のモードに切り替える前に、前記電圧制御デューティサイクル信号又は値を前記所定のデューティサイクル信号又は値として提供させるように、プリセット制御信号を選択的に提供する、電源コントローラ。
【請求項６】
請求項１に記載の電源コントローラであって、
比較器回路であって、
前記デューティサイクル入力信号又は値をアナログデューティサイクル入力信号に変換するように動作可能なデジタルアナログ変換器と、
前記アナログデューティサイクル入力信号と、前記スイッチング電源のスイッチング電流を表すフィードバック電流信号との比較に基づいて比較器出力信号を生成する比較器と、
を含む、前記比較器回路を更に含み、
前記論理回路が、前記パルス幅変調回路に、前記制御回路が前記第１のモードであるときに前記デューティサイクル入力信号又は値に従って前記少なくとも１つのスイッチをパルス幅変調させるため、及び、前記制御回路が前記第２のモードであるときに前記比較器出力信号に従って前記少なくとも１つのスイッチをパルス幅変調させるために、前記パルス幅変調回路に入力選択制御信号を選択的に提供するように動作可能である、電源コントローラ。
【請求項７】
請求項１に記載の電源コントローラであって、
前記所定のデューティサイクル値が、軽負荷でのピーク電流モード制御用の電流コマンド値に、又は軽負荷での電圧モード制御用のデューティサイクルコマンド値に近い、電源コントローラ。
【請求項８】
スイッチング電源であって、
接続されたソースから入力電力を受け取るように構成された入力と、
接続された負荷に出力電力を提供するように動作可能な出力と、
前記出力電力を前記出力に提供するために前記入力からの前記入力電力を選択的に変換するようにスイッチング制御信号に従って動作可能な少なくとも１つのスイッチと、
前記スイッチング制御信号を前記少なくとも１つのスイッチに提供するように動作可能な電源コントローラと、
を含み、
前記電源コントローラが、
電圧制御回路であって、
前記スイッチング電源の基準電圧信号又は値と出力電圧との間の差を表す電圧エラー信号又は値を提供する電圧エラー回路と、
現在のエラー値及び前エラーサンプルに少なくとも部分的に基づいて積分器信号又は値を提供するデジタル加算器回路を備える電圧補償器回路であって、前記電圧補償器回路が、前記電圧エラー信号又は値と前記積分器信号又は値とに少なくとも部分的に基づいて電圧制御デューティサイクル信号又は値を提供し、
前記電圧補償器回路が、
デジタル比例積分微分回路であって、
前記デジタル電圧エラー値及び比例定数に基づいて比例補償値を計算するように、
前記デジタル電圧エラー値と前記積分器値と積分定数との現在のサンプルに基づいて積分補償値を計算するように、
前記デジタル電圧エラー値の現在のサンプルと前記デジタル電圧エラー値の前のサンプルとの間の差と微分定数とに基づいて微分補償値を計算するように、
前記比例補償値と前記積分補償値と前記微分補償値との合計としてデジタル電圧制御デューティサイクル値を計算するように、
動作可能な、前記デジタル比例積分微分回路を含む、前記電圧補償器回路と、
前記電圧制御デューティサイクル信号又は値を、プリセット制御信号に基づいて、前記デジタル電圧制御デューティサイクル値、又は、前記所定のデューティサイクル信号又は値のいずれかとして提供するように動作可能なプリセッティング回路と、
電流制御回路であって、
前記スイッチング電源の基準電流信号又は値と出力電流とに少なくとも部分的に基づいて電流エラー信号又は値を提供する電流エラー回路と、
前記電流エラー信号又は値に少なくとも部分的に基づいて電流制御デューティサイクル信号又は値を提供する電流補償器回路と、
を含む、前記電流制御回路と、
デューティサイクル入力信号又は値に少なくとも部分的に従って前記スイッチング電源の少なくとも１つのスイッチをパルス幅変調するように動作可能なパルス幅変調回路と、
前記電圧制御デューティサイクル信号又は値を前記デューティサイクル入力信号又は値として提供するために第１のモードで、及び、前記電流制御デューティサイクル信号又は値を前記デューティサイクル入力信号又は値として提供するために第２のモードで、選択的に動作可能な制御回路と、
を含み、
前記制御回路が、
前記電圧制御デューティサイクル信号又は値と所定の非ゼロのヒステリシス値との合計が、前記電流制御デューティサイクル信号又は値より大きい場合に、前記制御回路を前記第１のモードから前記第２のモードに切り替えるように、
前記電流制御デューティサイクル信号又は値が前記電圧制御デューティサイクル信号又は値よりも小さい場合に、前記プリセット制御信号を前記プリセッティング回路に提供することによって、前記電圧制御デューティサイクル信号又は値を所定のデューティサイクル信号又は値に選択的にプリセットし、その後、前記電圧制御デューティサイクル信号又は値が前記電流制御デューティサイクル信号又は値より小さい場合、前記制御回路を前記第２のモードから前記第１のモードに切り替えるように、
前記制御回路が前記第２のモードである一方で、前記電圧補償器回路の前記積分器信号又は値の増加を選択的に防止するように、
動作可能な論理回路を含む、スイッチング電源。
【請求項９】
スイッチング電源の少なくとも１つのスイッチのパルス幅変調のためにパルス幅変調信号を提供する方法であって、
前記方法が、
電圧ループデューティサイクルを電流ループデューティサイクルと比較することと、
前記電圧ループデューティサイクルと所定の非ゼロのヒステリシス値との合計が、前記電流ループデューティサイクルより小さい場合に、前記電流ループデューティサイクルに従って前記少なくとも１つのスイッチをパルス幅変調することと、
前記電圧ループデューティサイクルが前記電流ループデューティサイクルより小さい場合に、前記電圧ループデューティサイクルを所定のデューティサイクルに選択的にプリセットし、その後、前記電圧ループデューティサイクルに従って前記少なくとも１つのスイッチをパルス幅変調することと、
を含む、方法。
【請求項１０】
請求項９に記載の方法であって、
前記電圧制御デューティサイクルが前記所定のデューティサイクルより小さい場合に、前記電圧ループデューティサイクルを前記所定のデューティサイクルにプリセットすることを選択的に控えることを更に含む、方法。